(57)【要約】【課題】  釣糸巻き取り回転時の移動反転部材の保持を安定させ、異音の発生防止とリ−ル全体の大型化を改善した魚釣用スピニングリ−ルを提供することである。【解決手段】  支持ア−ム４ｅ内の先端軸部４ｇにベ−ル支持部材８がビス１６で止められて釣糸巻取状態と釣糸放出状態に反転自在に軸承され、ベ−ル支持部材８の内側には反転機能カムＡが形成されて反転機能カムＡは支持ア−ム４ｅ内の先端軸部４ｇの外周に嵌合される筒部８ａと釣糸巻取作動カム８ｂと釣糸放出作動カム８ｃからなっている。  支持ア−ム４ｅの内部には移動反転部材９が収容されて一端に形成された突起９ａは反転機能カムＡの釣糸巻取作動カム８ｂの前方側に配置されると共にバネ部材２１で支持ア−ム４ｅの先端側に付勢され、移動反転部材９の他側９ｂの屈曲内面は長孔４ｉの前側の縁に付勢力で当接されている。【選択図】        図６
2005143462.tif 000002
【特許請求の範囲】
【請求項１】
ハンドルに連動回転するロ−タの支持ア−ムの先端部に、釣糸案内部を有するベ−ル支持部材を釣糸巻き取り状態と釣糸放出状態に反転自在に支持して両状態に振分け付勢保持し、釣糸放出状態にある前記ベ−ル支持部材をロ−タの巻き取り方向の回転で釣糸巻き取り状態に復帰する反転機構を備えた魚釣用スピニングリ−ルにおいて、前記ベ−ル支持部材の釣糸巻き取り状態から釣糸放出状態への解放操作時に連動してロ−タの支持ア−ム内を前後動する前記反転機構を構成する移動反転部材を、釣糸巻き取り状態において、前記ロ−タの支持ア−ムの内壁にバネ部材による前方側に向けた付勢力で接触保持させたことを特徴とする魚釣用スピニングリ−ル。
【発明の詳細な説明】
【技術分野】
【０００１】
本発明は、ベ−ル支持部材を釣糸放出状態からハンドルの回転操作で釣糸巻き取り状態に切り換えるベ−ル反転機構を備えた魚釣用スピニングリ−ルの改良に関する。
【背景技術】
【０００２】
釣糸放出状態のベ−ルを釣糸巻き取り状態に復帰させる手段として、ベ−ルの釣糸放出に関わる解放操作に連動してロ−タの支持ア−ム内を前後方向に移動する移動反転部材を、ロ−タの釣糸巻き取り方向の回転によってリ−ル本体前部に形成した反転用カム部に当接させ、ベ−ルを釣糸放出状態から釣糸巻き取り状態に自動復帰させる内蹴りベ−ル反転機構が例えば、特許文献１で見られるように従来から知られている。
【特許文献１】特開２０００−５０７７２号公報
【０００３】
本願図１２は特許文献１公報の図１の転写図で、本願図１３は本願図１２の要部拡大断面側面図で移動反転部材のキックレバ−（６０）が幾分後退した状態を表示している。
本願図１４、図１５は特許文献１公報の図２、図３の転写図である。
以下で転写図面の数記号を説明するときは括弧で（６０）のように数記号がくくられて表示される。
【０００４】
特許文献１公報のベ−ル反転機構は本願図１４のように、ロ−タ（２）のベ−ルア−ム支持腕（２１）の先端部に釣糸案内部のロ−ラ（５３）を有するベ−ル支持部材のベ−ルア−ムレバ−（５１）が支点ピン（２３）を介して回動自在に連結され、ベ−ルア−ムレバ−（５１）には収納室（２５）内に突出するボス（５１２）が扇状の凹部（５１１）に隣接して形成されている。
凹部（５１１）内には移動反転部材のキックレバ−（６０）の先端部（６００）が挿入されてボス（５１２）とは反対側の壁面に係合されている。
本願図１４のように、ボス（５１２）は釣糸巻き取り状態において、ベ−ルア−ムレバ−（５１）の度当てａに当接されている。
この時本願図１２のように、キックレバ−（６０）の基端部（６０１）はロ−タ（２）の半径方向中心側に向かってほぼ９０゜屈曲し、ベ−ルア−ム支持腕（２１）の貫通孔（２１０）を介してロ−タの筒状本体（２０）内に突出するように構成され、基端部（６０１）の屈曲内面は筒状本体（２０）とベ−ルア−ム支持腕（２１）の連結部ｂの内側に接触されている。
【０００５】
前記ベ−ル反転機構において、ロ−タ（２）前部に回動可能に支持されるベ−ルア−ムレバ−（５１）はスプ−ル（３）に釣糸を良好な状態で巻回するため、取り付け角度は前記度当てａによって規制されている。
そして、ベ−ルア−ムレバ−（５１）に連動して前後動する移動反転部材のキックレバ−（６０）は、先端部（６００）から基端部（６０１）までの長さが仮に凹部（５１１）から貫通孔（２１０）までの長さより短いと、ベ−ルア−ムレバ−（５１）が前記度当てａに当たらず、位置規制に影響を与えるので釣糸巻き取り状態において、本願図１２のように屈曲内面が連結部ｂに接触する状態よりも一般に本願図１３のように、ロ−タ（２）のベ−ルア−ム支持腕（２１）内で接触しないように、多少の隙間αを以てベ−ルア−ム支持腕（２１）の連結部ｂに対向配置するように設計されている。
反面、位置規制に影響を与えないように長く形成されると、キックレバ−（６０）は前後方向に遊びが出来て保持が安定せず、ガタツキが発生して異音が生じ易くなる。
【０００６】
更にこのキックレバ−（６０）とベ−ルア−ム支持腕（２１）の隙間α形成の影響により、リ−ル本体１前部の反転用カム部１ｂとキックレバ−（６０）との間に多少の隙間βを確保する必要が有ること、及び、ベ−ルア−ム支持腕（２１）の基部の前記連結部ｂとスプ−ル（３）のスカ−ト後端部（３ａ）との間にも多少の隙間γを確保する必要が生じて、これらの隙間が前後方向に累積されてしまうことになり、その結果、リ−ル全体の前後方向が大型化してしまう問題が残されている。
【発明の開示】
【発明が解決しようとする課題】
【０００７】
解決しようとする問題点は、スプ−ルに釣糸を良好な状態で巻回するため、ベ−ル支持部材のベ−ルア−ムレバ−を確実に度当てに当てられるように移動反転部材のキックレバ−の長さに余裕をもたせると、前後方向に遊びが出来て保持が安定せず、ガタツキが発生して異音が生じ易くなると共に各隙間が前後方向に累積されてしまうことになり、その結果、リ−ル全体の前後方向が大型化してしまうことである。
【０００８】
本発明の目的は前記欠点に鑑み、ロ−タの釣糸巻き取り回転時の移動反転部材の保持を安定させ、異音の発生防止とリ−ル全体の大型化を改善した魚釣用スピニングリ−ルを提供することである。
【課題を解決するための手段】
【０００９】
本発明の請求項１は、ハンドルに連動回転するロ−タの支持ア−ムの先端部に、釣糸案内部を有するベ−ル支持部材を釣糸巻き取り状態と釣糸放出状態に反転自在に支持して両状態に振分付勢保持し、釣糸放出状態にある前記ベ−ル支持部材をロ−タの巻き取り方向の回転で釣糸巻き取り状態に復帰する反転機構を備えた魚釣用スピニングリ−ルにおいて、前記ベ−ル支持部材の釣糸巻き取り状態から釣糸放出状態への解放操作時に連動してロ−タの支持ア−ム内を前後動する前記反転機構を構成する移動反転部材を、釣糸巻き取り状態において、前記ロ−タの支持ア−ムの内壁にバネ部材による前方側に向けた付勢力で接触保持させたことを要旨とするものである。
【発明の効果】
【００１０】
本発明によれば、ベ−ル支持部材の釣糸巻き取り状態から釣糸放出状態への解放操作時に連動して前後動する移動反転部材を、バネ部材による前方側に向けた付勢力で釣糸巻き取り状態において、ロ−タの支持ア−ムの内壁に移動反転部材を接触保持する構成としたので、移動反転部材とロ−タ支持ア−ム間の不要な前後方向における隙間が無くなるので、従来のような前後方向の隙間の累積によるリ−ル全体の大型化が防止できる。
又、移動反転部材をバネ部材による付勢力で一方向に規制する構成なので、ベ−ル支持部材のロ−タ支持ア−ムに対する取り付け位置も、確実に位置規制されて影響なく維持でき、良好な糸巻き状態が確保できる。
更に、移動反転部材がバネ部材で規制されるので、不要なガタ付きが解消されて、ロ−タ回転時の異音発生も防止できる。
【発明を実施するための最良の形態】
【００１１】
ロ−タ４の一対の支持ア−ム４ｄ、４ｅの一方の支持ア−ム４ｄ内の先端軸部４ｆに一方のベ−ル支持部材７がビス１５で止められ、他方の支持ア−ム４ｅ内の先端軸部４ｇに他方のベ−ル支持部材８がビス１６で止められて図３、図４の釣糸巻取状態と図８、図９の釣糸放出状態に反転自在に軸承されている。
一方の支持ア−ム４ｄの内部にはト−ションバネ２０が収容されて一端が一方のベ−ル支持部材７の穴に挿入され、他方は支持ア−ム４ｄの底部の穴に挿入されて、ベ−ル支持部材７を釣糸巻取状態と釣糸放出状態に振分け付勢している。
他方のベ−ル支持部材８の内側には図５から図７のように反転機能カムＡが形成されている。
【００１２】
反転機能カムＡは支持ア−ム４ｅ内の先端軸部４ｇの外周に嵌合される筒部８ａと釣糸巻取作動カム８ｂと釣糸放出作動カム８ｃからなっている。
支持ア−ム４ｅ内には度当て４ｈが形成されて釣糸巻き取り状態では釣糸放出作動カム８ｃの一側壁が当接される。
支持ア−ム４ｅ内の先端軸部４ｇの外周にバネ部材２１が巻き込まれている。
支持ア−ム４ｅの内部には移動反転部材９が収容されて一端に形成された突起９ａは反転機能カムＡの釣糸巻取作動カム８ｂの前方側に配置されると共にバネ部材２１で支持ア−ム４ｅの先端側に付勢されて図５、図７のように、突起９ａと釣糸巻取作動カム８ｂの間に隙間δが設けられている。
移動反転部材９の他側９ｂは屈曲されて支持ア−ム４ｅの底部の長孔４ｉに挿入されて長孔４ｉからリ−ル本体１の前部の円形の筒部１ａ側に突出されると共に、突起９ａがバネ部材２１で支持ア−ム４ｅの先端側に付勢されているので、他側９ｂの屈曲内面は長孔４ｉの前側の縁ｂにバネ部材２１の付勢力で当接されている。
【実施例１】
【００１３】
以下、図示の実施例によって本発明を説明すると、図１から図１０は第１実施例で、図１は魚釣用スピニングリ−ルの要部断面側面図、図２は図１の要部拡大断面側面図、図３は一方のベ−ル支持部材が上側で釣糸巻取状態の平面図、図４は他方のベ−ル支持部材が上側で釣糸巻取状態の平面図、図５は他方のベ−ル支持部材側のロ−タの一部とスプ−ルの一部の断面側面図、図６は他方のベ−ル支持部材が上側の釣糸巻取状態で図５のＦ６−Ｆ６断面線の反転機能カム部の要部断面平面図、図７は図６の要部拡大断面平面図、図８は一方のベ−ル支持部材が上側で釣糸放出状態の平面図、図９は他方のベ−ル支持部材が上側で釣糸放出状態の反転機能カム部の要部断面平面図、図１０は図９の要部拡大断面平面図である。
【００１４】
魚釣用スピニングリ−ルは、リ−ル本体１と蓋板２で保持された図示しない軸受で駆動歯車１０の駆動軸が軸承されてハンドル１１で駆動回転される。
リ−ル本体１の前部の円形の筒部１ａ内の軸受１２で回転軸筒３の前側が回転自在に支持され、リ−ル本体１内の図示しない軸受部に回転軸筒３の基端が嵌合支持され、基端の前側に一体的に図示しないピニオンが形成されて駆動歯車１０に噛合されている。
回転軸筒３の前端にロ−タ４の中心筒部４ａが回り止め嵌合されてナット１３で取り付けられている。
回転軸筒３の中心透孔には前側にスプ−ル５が取り付けられたスプ−ル軸１４が前後往復動可能に摺動自在に挿入されている。
リ−ル本体１と蓋板２の前側には合体して円板となる図示しない鍔部と鍔部２ａが形成されている。
鍔部２ａの前面には傾斜面を有する反転用カム２ｂが形成されている。
【００１５】
ロ−タ４は中心筒部４ａで回転軸筒３に取り付けられ、筒部４ａと前壁４ｂと大径の筒部４ｃと大径の筒部４ｃの基部の外周から前方に向けて突出された一対の支持ア−ム４ｄ、４ｅとで形成されて支持ア−ム４ｄ内の先端軸部４ｆに一方のベ−ルベ−ル支持部材７がビス１５で止められ、支持ア−ム４ｅ内の先端軸部４ｇに他方のベ−ルベ−ル支持部材８がビス１６で止められて図３、図４の釣糸巻取状態と図８、図９の釣糸放出状態に反転自在に軸承されている。
一方のベ−ル支持部材７にはロ−ラからなる釣糸案内部１７の取付部１８が取り付けられている。
他方のベ−ル支持部材８と取付部１８の間にベ−ル１９が取り付けられている。
支持ア−ム４ｄの内部にはト−ションバネ２０が収容されて一端が一方のベ−ル支持部材７の穴に挿入され、他方は支持ア−ム４ｄの底部の穴に挿入されて、ベ−ル支持部材７を釣糸巻取状態と釣糸放出状態に振分け付勢している。
【００１６】
他方のベ−ル支持部材８の内側には図５から図７のように反転機能カムＡが形成されている。
反転機能カムＡは支持ア−ム４ｅ内の先端軸部４ｇの外周に嵌合される筒部８ａと釣糸巻取作動カム８ｂと釣糸放出作動カム８ｃからなっている。
支持ア−ム４ｅ内には度当て４ｈが形成されて釣糸巻き取り状態では釣糸放出作動カム８ｃの一側壁が当接される。
支持ア−ム４ｅ内の先端軸部４ｇの外周にバネ部材２１が巻き込まれている。
支持ア−ム４ｅの内部には移動反転部材９が収容されて一端に形成された突起９ａは反転機能カムＡの釣糸巻取作動カム８ｂの前方側に配置されると共にバネ部材２１で支持ア−ム４ｅの先端側に付勢されて図５、図７のように、突起９ａと釣糸巻取作動カム８ｂの間に隙間δが設けられている。
【００１７】
移動反転部材９の他側９ｂは屈曲されて支持ア−ム４ｅの底部の長孔４ｉに挿入されて長孔４ｉからリ−ル本体１の前部の円形の筒部１ａ側に突出されると共に、突起９ａがバネ部材２１で支持ア−ム４ｅの先端側に付勢されているので、他側９ｂの屈曲内面は長孔４ｉの前側の縁ｂにバネ部材２１の付勢力で当接されている。
長孔４ｉから突出された端部９ｃは移動反転部材９が支持ア−ム４ｅの中を後退（釣糸放出状態）された時、蓋板２又はリ−ル本体１に形成された反転用カム２ｂに臨まされる。
スプ−ル５は前側鍔部５ａと図示しない釣糸が巻回される釣糸巻回胴部５ｂと円筒スカ−ト部５ｃを備えた後側鍔部５ｄとで形成されている。
【００１８】
前記魚釣用スピニングリ−ルの動作は、釣糸がスプ−ル５に巻回される方向にハンドル１１が回転されると、駆動歯車２が回転されて図示しないピニオンを介して回転軸筒３とロ−タ４が正回転される。
釣糸がスプ−ル５に巻回される時は、一方のベ−ル支持部材７に設けられた釣糸案内部１８のロ−ラで釣糸が案内されて前後に往復動されるスプ−ル５に平行に巻回される。
【００１９】
仕掛が投擲されるときは、図８で示されるようにベ−ル１９が時計方向に起こされて一方のベ−ル支持部材７と他方のベ−ル支持部材８が釣糸放出状態に反転される。
一方のベ−ル支持部材７と他方のベ−ル支持部材８が釣糸放出状態に反転されると、図９、図１０のように他方のベ−ル支持部材８の反転機能カムＡの釣糸放出作動カム８ｃで移動反転部材９の突起９ａがバネ部材２１の付勢力に抗して押し下げられ、端部９ｃはリ−ル本体１又は蓋板２の反転用カム２ｂに臨まされる。
一方のベ−ル支持部材７と他方のベ−ル支持部材８が釣糸放出状態から釣糸巻取状態に反転される時は、ハンドル１１が回転されてロ−タ４が釣糸をスプ−ル５に巻回される方向に正回転されると、移動反転部材９の端部９ｃが反転用カム２ｂに衝接されて移動反転部材９が支持ア−ム４ｅの中を前方に前進されて一方のベ−ル支持部材７と他方のベ−ル支持部材８が釣糸巻取状態に反転復帰される。
【００２０】
前記のように魚釣用スピニングリ−ルが構成されると、ベ−ル支持部材７、８の釣糸巻き取り状態から釣糸放出状態への解放操作時に連動して前後動する移動反転部材９を、バネ部材２１による前方側に向けた付勢力で釣糸巻き取り状態において、ロ−タ４の支持ア−ム４ｅの内壁（長孔４ｉの前側の縁ｂの内側面）に移動反転部材９を接触保持する構成としたので、移動反転部材９とロ−タ支持ア−ム４ｅ間の不要な前後方向における隙間が無くなるので、従来のような前後方向の隙間の累積によるリ−ル全体の大型化が防止できる。
又、移動反転部材９をバネ部材２１による付勢力で一方向に規制する構成なので、ベ−ル支持部材８のロ−タ支持ア−ム４ｅに対する取り付け位置も、確実に位置規制されて影響なく維持でき、良好な糸巻き状態が確保できる。
更に、移動反転部材９がバネ部材２１で規制されるので、不要なガタ付きが解消されて、ロ−タ回転時の異音発生も防止できる。
【実施例２】
【００２１】
図１１は第２実施例で、図１１は他方のベ−ル支持部材が上側で釣糸巻取状態の反転機能カム部の要部断面平面図である。
【００２２】
第２実施例では、ロ−タ支持ア−ム４ｅ内で移動反転部材９は、ロ−タ支持ア−ム４ｅ内の底面に植設されたピン２２と移動反転部材９の側部に固定されたピン２３の間に張設されたバネ部材２４で前方側に向けて付勢されている。
他の構成は前記第１実施例と略同一である。
【図面の簡単な説明】
【００２３】
【図１】第１実施例で、魚釣用スピニングリ−ルの要部断面側面図である。
【図２】同図１の要部拡大断面側面図である。
【図３】同一方のベ−ル支持部材が上側で釣糸巻取状態の平面図である。
【図４】同他方のベ−ル支持部材が上側で釣糸巻取状態の平面図である。
【図５】同他方のベ−ル支持部材側のロ−タの一部とスプ−ルの一部の断面側面図である。
【図６】同他方のベ−ル支持部材が上側の釣糸巻取状態で図５のＦ６−Ｆ６断面線の反転機能カム部の要部断面平面図である。
【図７】同図６の要部拡大断面平面図である。
【図８】同一方のベ−ル支持部材が上側で釣糸放出状態の平面図である。
【図９】同他方のベ−ル支持部材が上側で釣糸放出状態の反転機能カム部の要部断面平面図である。
【図１０】同図９の要部拡大断面平面図である。
【図１１】第２実施例で、他方のベ−ル支持部材が上側で釣糸巻取状態の反転機能カム部の要部断面平面図である。
【図１２】特許文献１公報の図１の転写図である。
【図１３】図１２でキックレバ−が幾分後退した要部拡大断面側面図である。
【図１４】特許文献１公報の図２の転写図である。
【図１５】特許文献１公報の図３の転写図である。
【符号の説明】
【００２４】
４  ロ−タ
４ｅ  ロ−タ支持ア−ム
５  スプ−ル
７、８  ベ−ル支持部材
９  移動反転部材
２１、２２  バネ部材
１１  ハンドル
【図１】
2005143462.tif 000003
【図２】
2005143462.tif 000004
【図３】
2005143462.tif 000005
【図４】
2005143462.tif 000006
【図５】
2005143462.tif 000007
【図６】
2005143462.tif 000008
【図７】
2005143462.tif 000009
【図８】
2005143462.tif 000010
【図９】
2005143462.tif 000011
【図１０】
2005143462.tif 000012
【図１１】
2005143462.tif 000013
【図１２】
2005143462.tif 000014
【図１３】
2005143462.tif 000015
【図１４】
2005143462.tif 000016
【図１５】
2005143462.tif 000017